(57)【要約】      （修正有）【課題】つぶれにくく重い物と、卵やイチゴなどつぶれやすい物を上下に分けて収納でき、特に卵やイチゴなどつぶれやすい物をつぶすことなく安定した載置状態で持ち運びできる、買物用のバッグとして用いるのに好適なバッグを提供する。【解決手段】スライドファスナーから成る連結部材６，６で略Ｕ字状に連結された対の隔離用シート部材５，５によって収納部２内を上室７Ａと下室７Ｂに上下に分けれる構造としてバッグを構成する。使用に当っては、最初につぶれにくい物を上部の出し入れ口３からバッグ内に入れ、そのあと対の隔離用シート部材５，５の連結部材６，６を連結し、連結部材で略Ｕ字状に連結された対の隔離用シート部材５，５の上につぶれやすい物を載せてバッグ内に収納する。また、対の隔離用シート部材５，５の対向面側にポケット１２を設けた。【選択図】図２
0003176659.tif 000002
【実用新案登録請求の範囲】
【請求項１】
上部に収納物品を出し入れするための出し入れ口を設けた袋状の収納部と、この収納部を提げる提げ部を設けたバッグであり、この収納部の内側の上部の対向位置に柔軟素材から成る対の隔離用シート部材を吊り下げ状態に取付け、対の隔離用シート部材の各下端部に下端部同志を分離可能に連結し得る連結部材を取付け、この連結部材で略Ｕ字状に連結された対の隔離用シート部材によって収納部内を上室と下室に上下に分けた構造とすると共に、連結部材で略Ｕ字状に連結された対の隔離用シート部材の上面を上室の載置部として構成したバッグ。
【請求項２】
前記出し入れ口が開閉可能な出し入れ口である請求項１に記載のバッグ。
【請求項３】
吊り下げ状態に取付けられた対の隔離用シート部材の対向面側に上方を開口したポケットを設けた請求項１又は２に記載のバッグ。
【請求項４】
前記隔離用シート部材が柔軟なメッシュ素材である請求項１又は２に記載のバッグ。
【請求項５】
前記連結部材が対の隔離用シート部材の各下端部に沿って装着された連結用スライドファスナーである請求項１又は２に記載のバッグ。
【請求項６】
対の隔離用シート部材が略同大で略台形の隔離用シート部材であり、略台形の隔離用シート部材の上辺側を収納部の内側の上部に取付け、上辺側に比して幅の長い下辺部に連結部材を取付け、この連結部材が略台形の隔離用シート部材の下辺部に沿って装着された連結用スライドファスナーである請求項１又は２に記載のバッグ。
【請求項７】
前記出し入れ口に開閉用スライドファスナーを介して該出し入れ口を開閉可能に覆う柔軟シート素材から成る覆い部を装着した請求項１に記載のバッグ。
【考案の詳細な説明】
【技術分野】
【０００１】
本考案は、上部に収納物品を出し入れするための出し入れ口を設けた袋状のバッグに係わり、特に食料品などを入れる買物用のバッグとして用いるのに好適なバッグに関する。
【背景技術】
【０００２】
主に食料品などを入れる買物用のバッグとして、一対の提げ部を設け、上部に収納物品を出し入れするための出し入れ口を設けた大きめな収納空間をもつ柔軟素材の袋状のバッグが用いられている（例えば、特許文献１の図１，５のバッグ）。
【０００３】
このバッグ内は実質的に一つの収納空間から成っているため、買物した食料品などを上部の出し入れ口からバッグ内に詰め込む際、最初につぶれにくく重い物を入れ、その上に卵やイチゴなどつぶれやすい物を載せて詰め込むように工夫している。
【先行技術文献】
【特許文献】
【０００４】
【特許文献１】実用新案登録第３１６４３８２号公報
【考案の概要】
【考案が解決しようとする課題】
【０００５】
しかし、買物した食料品などを上部の出し入れ口からバッグ内に詰め込む際、最初につぶれにくく重い物を入れ、その上に卵やイチゴなどつぶれやすい物を載せて詰め込む作業は面倒であり、たとえ、卵やイチゴなどつぶれやすい物を上に載せて詰め込むように工夫しても、食料品を詰めたバッグを持ち運びする間に、バッグ内に収納した物品の位置が崩れ、卵やイチゴなどがつぶれる問題があった。
【０００６】
本考案は、上部に収納物品を出し入れするための出し入れ口を設けた袋状のバッグにおいて、つぶれにくく重い物と、卵やイチゴなどつぶれやすい物を上下に分けて収納でき、特に卵やイチゴなどつぶれやすい物をつぶすことなく安定した載置状態で持ち運びできるバッグを提供することを主な目的とする。
【課題を解決するための手段】
【０００７】
前記した課題を解決するため、本考案（請求項１の考案）は、上部に収納物品を出し入れするための出し入れ口を設けた袋状の収納部と、この収納部を提げる提げ部を設けたバッグであり、この収納部の内側の上部の対向位置に柔軟素材から成る対の隔離用シート部材を吊り下げ状態に取付け、対の隔離用シート部材の各下端部に下端部同志を分離可能に連結し得る連結部材を取付け、この連結部材で略Ｕ字状に連結された対の隔離用シート部材によって収納部内を上室と下室に上下に分けれる構造とすると共に、連結部材で略Ｕ字状に連結された対の隔離用シート部材の上面を上室の載置部として構成したバッグを提供する。
【０００８】
本考案のバッグによれば、最初につぶれにくく重い物を上部の出し入れ口からバッグ内に入れ、そのあと対の隔離用シート部材の連結部材を連結し、この連結部材で略Ｕ字状に連結された対の隔離用シート部材の上に卵やイチゴなどつぶれやすい物を載せてバッグ内に収納することによって、つぶれにくく重い物を下室に、卵やイチゴなどつぶれやすい物を上室に上下に分けて収納でき、特に卵やイチゴなどつぶれやすい物をつぶすことなく安定した載置状態で持ち運びできる。
【０００９】
また、本考案（請求項２の考案）は、前記出し入れ口が開閉可能な出し入れ口であるバッグを提供する。
【００１０】
また、本考案（請求項３の考案）は、吊り下げ状態に取付けられた対の隔離用シート部材の対向面側に上方を開口したポケットを設けたバッグを提供する。このように、隔離用シート部材の対向面側にポケットを設けておけば、対の隔離用シート部材を連結しない分離した場合は、吊り下げ状態に取り付けられている隔離用シート部材のポケットを小物収納ポケットとして用いることができ便利である。
【００１１】
また、本考案（請求項４の考案）は、前記隔離用シート部材が柔軟なメッシュ素材であるバッグを提供する。
【００１２】
また、本考案（請求項５の考案）は、前記連結部材が対の隔離用シート部材の各下端部に沿って装着された連結用スライドファスナーであるバッグを提供する。このように、連結部材がスライドファスナーであれば容易且つ確実に対の隔離用シート部材の下端部同志を分離可能に連結でき、しかもスライドファスナーで略Ｕ字状に連結された対の隔離用シート部材の載置部には段差がほとんどできない利点もある。
【００１３】
また、本考案（請求項６の考案）は、対の隔離用シート部材が略同大で略台形の隔離用シート部材であり、略台形の隔離用シート部材の上辺側を収納部の内側の上部に取付け、上辺側に比して幅の長い下辺部に連結部材を取付け、この連結部材が略台形の隔離用シート部材の下辺部に沿って装着された連結用スライドファスナーであるバッグを提供する。このように、略同大で略台形の対の隔離用シート部材を連結部材で略Ｕ字状に連結したものであれば、略Ｕ字状に連結された対の隔離用シート部材の中間に位置する連結箇所の幅を長く形成でき、上室の載置部を広く形成できる。
【００１４】
また、本考案（請求項７の考案）は、前記出し入れ口に開閉用スライドファスナーを介して該出し入れ口を開閉可能に覆う柔軟シート素材から成る覆い部を装着したバッグを提供する。
【考案の効果】
【００１５】
本考案のバッグによれば、前述したように、最初につぶれにくく重い物を上部の出し入れ口からバッグ内に入れ、そのあと対の隔離用シート部材の連結部材（連結用スライドファスナー）を連結し、この連結部材（連結用スライドファスナー）で略Ｕ字状に連結された対の隔離用シート部材の上に卵やイチゴなどつぶれやすい物を載せてバッグ内に収納することによって、つぶれにくく重い物を下室に、卵やイチゴなどつぶれやすい物を上室に上下に分けて収納でき、特に卵やイチゴなどつぶれやすい物をつぶすことなく安定した載置状態で持ち運びでき、特に食料品などを入れる買物用のバッグとして用いるのに好適である。
【図面の簡単な説明】
【００１６】
【図１】本考案のバッグを一部切欠いて示した斜面図である。
【図２】図１のバッグの概略縦断側面図である。
【図３】対の隔離用シート部材の連結状態を示した概略平面図である。
【考案を実施するための形態】
【００１７】
本考案に係るバッグの実施形態を図１〜図３に基づき説明する。本考案のバッグ１は、上部に収納物品を出し入れするための開閉可能な出し入れ口３を設けた比較的大きめな収納空間をもつ柔軟素材の袋状の収納部２と、この収納部２を提げる一対の提げ部４を設けたバッグであり、この収納部２の内側の上部の対向位置に柔軟素材（柔軟なメッシュ素材）から成る対の隔離用シート部材５，５を吊り下げ状態に取付け（柔軟素材から成る隔離用シート部材５は該シート部材の上部を収納部２の内側の上部の対向位置に縫着し、この縫着部より下方部分は揺動可能に吊り下げられている。）、対の隔離用シート部材５，５の各下端部に下端部同志を分離可能に連結し得る連結部材６，６（この実施形態ではスライドファスナーとし、このスライドファスナーは後述する開閉用スライドファスナー１０と区別するため連結用スライドファスナーと称する。）を取付け、この連結部材６，６で略Ｕ字状（略ハンモック状）に連結された対の隔離用シート部材５，５によって収納部２内の収納空間を上室７Ａと下室７Ｂに上下に分けた構造とすると共に、連結部材６，６で略Ｕ字状に連結された対の隔離用シート部材５，５の上面を上室７Ａの載置部８として構成してある。
【００１８】
図示した実施例のバッグ１は、前記出し入れ口３に開閉用スライドファスナー１０を介して該出し入れ口３を開閉可能に覆う柔軟シート素材から成る覆い部１１を装着してある。特に図示した実施例のバッグ１では、斜めに装着した開閉用スライドファスナー１０で覆い部１１を広く開けるようにしてある。
【００１９】
本考案のバッグによれば、最初につぶれにくく重い物を上部の出し入れ口３からバッグ内に入れ、そのあと、図２に一点鎖線で示したように、対の隔離用シート部材５，５の連結部材（連結用スライドファスナー）６，６を連結し、この連結部材（連結用スライドファスナー）６，６で略Ｕ字状に連結された対の隔離用シート部材５，５の上に卵やイチゴなどつぶれやすい物を載せてバッグ内に収納することによって、つぶれにくく重い物を下室７Ｂに、卵やイチゴなどつぶれやすい物を上室７Ａに上下に分けて収納でき、特に卵やイチゴなどつぶれやすい物をつぶすことなく安定した載置状態で持ち運びできる。
【００２０】
図２に実線で示したように、吊り下げ状態に取付けられた対の隔離用シート部材５，５の対向面側に上方を開口したポケット１２を設けてある。このように、隔離用シート部材５の対向面側にポケット１２を設けておけば、対の隔離用シート部材５，５を連結しない分離した場合は、吊り下げ状態に取り付けられている隔離用シート部材５のポケット１２を小物収納ポケットとして用いることができ便利である。
【００２１】
図面には表していないが前記隔離用シート部材は、柔軟なメッシュ素材であり、このメッシュ素材の縁部は補強帯材が縫い付けられ補強されている。
【００２２】
前述したように、連結部材６，６は対の隔離用シート部材５，５の各下端部に沿って装着された連結用スライドファスナーとしてある。このように、連結部材６，６がスライドファスナーであれば容易且つ確実に対の隔離用シート部材５，５の下端部同志を分離可能に連結でき、しかもスライドファスナーで略Ｕ字状に連結された対の隔離用シート部材５，５の載置部には段差がほとんどできない利点もある。
【００２３】
このように連結部材６，６としては、図示の実施例に示したスライドファスナーが好ましい。しかし、本考案は連結部材６，６としてスライドファスナーに限定するものではなく、対の隔離用シート部材５，５の下端部同志を分離可能に連結し得るものであれば、対の隔離用シート部材５，５の各下端部に雄雌の面ファスナーを装着したもの、雄雌のホックを装着したものでも良い。
【００２４】
図１、図３に示したように、対の隔離用シート部材５，５が略同大で略台形の隔離用シート部材であり、略台形の隔離用シート部材の上辺側５ａを収納部２の内側の上部に取付け、上辺側５ａに比して幅の長い下辺部５ｂに沿って連結部材（連結用スライドファスナー）６，６を装着してある。図３に示したようにこの実施例では、対の隔離用シート部材５，５を下辺部５ｂに連なる両辺が下辺に至るに従い均等に広げられた傾斜辺５ｃ，５ｃをもつ同大の台形としてある。
【００２５】
このように、略同大で略台形の対の隔離用シート部材５，５を連結部材（連結用スライドファスナー）６，６で略Ｕ字状に連結したものであれば、略Ｕ字状に連結された対の隔離用シート部材５，５の中間に位置する連結箇所の長さ幅（図３に符号Ｌで示した。）を長く形成でき、上室７Ａの載置部８を広く形成できる利点がある。なお、図３に示した実施例では、連結箇所の長さ幅（符号Ｌ）を収納部２内の長さ幅より少し短く図示してあるが、連結箇所の長さ幅（符号Ｌ）を収納部２内の長さ幅より少し長くなるように構成するのが、載置部８に載せた物品の脱落を防止する観点から好ましい。
【符号の説明】
【００２６】
１  バッグ
２  収納部
３  出し入れ口
４  提げ部
５  隔離用シート部材
６  連結部材（連結用スライドファスナー）
７Ａ  上室
７Ｂ  下室
８  上室の載置部
１０  開閉用スライドファスナー
１１  覆い部
１２  ポケット
【図１】
0003176659.tif 000003
【図２】
0003176659.tif 000004
【図３】
0003176659.tif 000005